(57)【特許請求の範囲】
【請求項１】
ポンプインペラとタービンランナとステータとを有し、
前記ポンプインペラは、シェル部とブレード部とを有し、
前記ブレード部は、前記タービンランナ側に先端部を有し、
前記先端部のうち回転軸から最も遠い部分は、前記ポンプインペラの回転軸方向に対して傾いており、
前記先端部は、死水域において変曲点を有さない形状を有し、
前記ステータの少なくとも一部は、径方向から見たとき、前記先端部のうち回転軸から最も遠い前記部分と重なっており、
前記タービンランナのタービンブレードの一部は、前記死水域において、径方向から見たとき、前記先端部の一部と前記ステータの一部とが重なっている部位を有することを特徴とする流体伝動装置。
【請求項２】
請求項１に記載の流体伝動装置において、
前記ステータは、前記ポンプインペラ側に切欠きを有し、
前記ステータの前記切欠きと、前記ポンプインペラの前記先端部とは、平行になるように配置されていることを特徴とする流体伝動装置。
【請求項３】
請求項１または２に記載の流体伝動装置において、
前記先端部の形状は、死水域における前記先端部のいずれの箇所で接線を引いたとしても、接線で分割される領域の一方側に前記先端部が含まれる形状になっていることを特徴とする流体伝動装置。
【請求項４】
請求項１ないし３いずれか一つに記載の流体伝動装置において、
流体の流動領域であるトーラスの前記タービンランナ側端部と軸方向トーラス中心との距離をW_tと定義し、
前記ブレード部のうち、前記ポンプインペラの回転軸から最も遠く、かつ、最も前記タービンランナ側に位置する上端と軸方向トーラス中心との距離をw1と定義したとき、
0≦w1/w_t≦0.3
を満たすことを特徴とする流体伝動装置。
【請求項５】
請求項１ないし４いずれか一つに記載の流体伝動装置において、
流体の流動領域であるトーラスの前記ポンプインペラ側端部と軸方向トーラス中心との距離をW_iと定義し、
前記ブレード部の先端部と径方向トーラス中心とが交差するブレード中心と、軸方向トーラス中心との距離をw2と定義したとき、
0≦w2/W_i≦0.5
を満たすことを特徴とする流体伝動装置。
【請求項６】
請求項１ないし５いずれか一つに記載の流体伝動装置において、
流体の流動領域であるトーラスの前記ポンプインペラ側端部と軸方向トーラス中心との距離をW_iと定義し、
前記ブレード部のうち、前記ポンプインペラの回転軸に最も近い下端と軸方向トーラス中心との距離をw3と定義したとき、
0.5≦w3/W_i≦0.75
を満たすことを特徴とする流体伝動装置。
【発明の詳細な説明】
【技術分野】
【０００１】
本発明は、流体伝動装置に関する。
【０００２】
流体伝動装置とは、流体を用いて動力を伝達する機能を有する装置である。
【０００３】
流体伝動装置には、例えばトルクコンバータやフルードカップリング等を含む。
【背景技術】
【０００４】
特許文献１は、シェル部及びブレード部が一体形成されたポンプインペラを有する流体伝動装置を開示している。
【０００５】
特許文献１は、特許文献１の図１３又は図１５にブレード部の形状を開示している。
【０００６】
ブレード部は、シェル部側に根元部を有する。
【０００７】
ブレード部は、タービンランナ側に先端部を有する。
【０００８】
ブレード部の先端部は、ステータとの干渉を回避するために、ジグザグ形状を有する。
【０００９】
ジグザグ形状は、流体伝動装置における死水域に存在する。
【００１０】
すなわち、ブレード部の先端部の描く線は、死水域に変曲点を有する。
【先行技術文献】
【特許文献】
【００１１】
【特許文献１】特開２００４−２４５４１２号公報（図１３、図１５、段落0065参照）
【発明の概要】
【発明が解決しようとする課題】
【００１２】
本発明者らは、ブレード部の先端部のうち回転軸から最も遠い部分近辺に応力が集中することを発見した。
【００１３】
これは、先端部が軸方向に対して垂直であることに起因する。
【００１４】
本発明者らは、死水域において、ブレード部のジグザグ形状の近辺に応力が集中することを発見した。
【００１５】
これは、死水域内の変曲点近辺に応力が集中しやすいことに起因する。
【００１６】
ブレード部に局所的に応力が集中すると、ブレード部が変形するおそれがある。
【００１７】
そこで、本発明は、ブレード部への応力の集中を防止することを目的とする。
【課題を解決するための手段】
【００１８】
上記目的を達成するため、本発明の流体伝動装置では、
ポンプインペラとタービンランナとステータとを有し、
前記ポンプインペラは、シェル部とブレード部とを有し、
前記ブレード部は、前記タービンランナ側に先端部を有し、
前記先端部のうち回転軸から最も遠い部分は、前記ポンプインペラの回転軸方向に対して傾いており、  前記先端部は、死水域において変曲点を有さない形状を有し、
前記ステータの少なくとも一部は、径方向から見たとき、前記先端部のうち回転軸から最も遠い前記部分と重なっており、
前記タービンランナのタービンブレードの一部は、前記死水域において、径方向から見たとき、前記先端部の一部と前記ステータの一部とが重なっている部位を有することとした。
【発明の効果】
【００１９】
先端部のうち回転軸から最も遠い部分は、ポンプインペラの回転軸方向に対して傾いているため、先端部のうち回転軸から最も遠い部分近辺への応力集中を防止できる。
【００２０】
先端部は、死水域において変曲点を有さない形状を有するため、死水域における応力集中を防止することができる。
【００２１】
ステータの少なくとも一部は、径方向から見たとき、先端部のうち回転軸から最も遠い部分と重なる配置とすることで、ブレード部の面積を確保でき、流体性能を維持できる。
【図面の簡単な説明】
【００２２】
【図１】実施例１の流体伝動装置であるトルクコンバータを表す断面図である。
【図２】実施例１のポンプインペラを軸方向から見た部分拡大図である。
【図３】実施例１のブレード部の詳細を表す拡大図である。
【図４】基準曲線とブレード形状との関係を表す概略図である。
【図５】実施例１のブレード部の外周部における正圧面と負圧面との間の厚みの変化を表す概略図である。
【図６】従来のブレード形状を採用したトルクコンバータ作動時における応力分布のシミュレーション結果である。
【図７】実施例１のブレード部における基準曲線と正圧面及び負圧面までの距離（厚み）との関係を表す特性図である。
【図８】ポンプインペラの形状を設計する際の設計条件を表す概略図である。
【発明を実施するための形態】
【実施例１】
【００２３】
図１は実施例１の流体伝動装置であるトルクコンバータを表す断面図である。
【００２４】
トルクコンバータは、図外のエンジンと接続されたコンバータカバー1を有する。
【００２５】
コンバータカバー1には、ポンプインペラ2が接続されている。
【００２６】
ポンプインペラ2は、底部を有するお椀形状のインペラシェル20と、インペラシェル20の底部に形成されたブレード部21とを有する。
【００２７】
インペラシェル20の軸心部側の開口部20dには、図外のオイルポンプを駆動する駆動爪22が接続されている。
【００２８】
ブレード部21に対向する位置には、変速機入力軸7と接続されたタービンランナ3を有する。
【００２９】
タービンランナ3はタービンブレード31を有する。
【００３０】
ポンプインペラ2とタービンランナ3との間には、ステータ4を有する。
【００３１】
ステータ4は、ステータブレード41と、図外のハウジングとの間の断接を行うワンウェイクラッチ5とを有する。
【００３２】
ワンウェイクラッチ5のインナレース5aは、図外のハウジングに固定されている。
【００３３】
タービンブレード31は、ステータブレード41との干渉を回避する切り欠き31aを有する。
【００３４】
ステータブレード41は、ブレード部21との干渉を回避する切り落とし部41aを有する。
【００３５】
切り落とし部41aとポンプインペラ2の先端部21aとは、平行になるように配置されている。
【００３６】
これにより、ステータブレード41の面積を大きくすることができる。
【００３７】
図２は実施例１のポンプインペラを軸方向から見た部分拡大図である。
【００３８】
インペラシェル20は、軸方向に向けて立設された円筒部20cを有する。
【００３９】
ブレード部21の外周側端部とインペラシェル20とが隣接する接続面20bは、径方向から見てブレード部21と連続するように形成される（図１参照）。
【００４０】
ブレード部21の内周側端部とインペラシェル20とが隣接する内周側接続面20aは、径方向から見てブレード部21と連続するように形成される（図１参照）。
【００４１】
ブレード部21は、ポンプインペラ2の軸方向に対して傾斜している（図１参照）。
【００４２】
ブレード部21は、ポンプインペラ2の軸方向に垂直な面に対して傾斜している。
【００４３】
ブレード部21は、軸方向からインペラシェル側に向かって見たとき（図２参照）に露出している面が負圧面であり、裏面側となる面が正圧面である。
【００４４】
正圧面とは、トルクコンバータ作動時に、オイルが圧縮される側を表す。
【００４５】
負圧面とは、トルクコンバータ作動時に、オイルが剥離する側を表す。
【００４６】
図３は実施例１のブレード部の詳細を表す拡大図である。
【００４７】
ブレード部21は、インペラシェル20側の根元部から円周方向に向けて徐々に厚みが薄くなる（図３参照）。
【００４８】
ブレード部21は、タービンランナ側に対向する位置に先端部21aを有する。
【００４９】
先端部21aの厚みは、ブレード部21の根元部よりも薄く形成されている。
【００５０】
ブレード部21は、回転軸よりも外周に内周部x1を有する。
【００５１】
ブレード部21は、内周部x1よりも外周に中間部x2を有する。
【００５２】
ブレード部21は、中間部x2よりも外周に外周部x3を有する。
【００５３】
図３のA-A断面図、B-B断面図、C-C断面図に示すように、外周部x3は、中間部x2よりも厚く、かつ、内周部x1よりも厚く形成されている。
【００５４】
ポンプインペラ2は、インペラシェル20とブレード部21とが回転鋳抜きにより一体成型されている。
【００５５】
ポンプインペラ2を回転鋳抜きする際、固定型と可動型により鋳造される。
【００５６】
まず、可動型を固定型に向かって移動させ、型締めし、例えば、アルミニウムやマグネシウム等の軽合金からなる鋳造素材を導入する。
【００５７】
次に、可動型をポンプインペラ2の軸中心で回転させながら、ポンプインペラ2の軸方向に沿って移動させる。
【００５８】
従って、鋳造されたポンプインペラ2と干渉することなく可動型を固定型から分離できる。
【００５９】
図４は基準曲線とブレード形状との関係を表す概略図である。
【００６０】
ブレード部21の形状は、基準曲線に基づいて設計する。
【００６１】
基準曲線とは、回転鋳抜きの制約と、流体性能が最適となる入口角及び出口角とを考慮したシミュレーションにより決定される。
【００６２】
当該シミュレーションは、一般的な流体解析ソフト（例えば、ANSYS CFX）を用いて実施できる。
【００６３】
図４（ａ）は、同一入口角で異なる出口角を設定した二つの基準曲線とブレード形状との関係を表す。
【００６４】
図４（ａ）の太い実線で示す基準曲線と、太い点線で示す基準曲線とにより、同一入口角であって異なる出口角を有するブレード形状が得られることが分かる。
【００６５】
図４（ｂ）は、異なる入口角で同一出口角を設定した二つの基準曲線とブレード形状との関係を表す。
【００６６】
図４（ｂ）の太い実線で示す基準曲線と、太い点線で示す基準曲線とにより、異なる入口角であって同一出口角を有するブレード形状が得られることが分かる。
【００６７】
図５は実施例１のブレード部の外周部における正圧面と負圧面との間の厚みの変化を表す概略図である。
【００６８】
ブレード部21の外周部x3は、基準曲線から負圧面までの厚みが、正圧面までの厚みに比べて厚くなるように形成される。
【００６９】
以下、上記構成を採用した理由を説明する。
【００７０】
図６は従来のブレード形状を採用したトルクコンバータ作動時における応力分布のシミュレーション結果である。
【００７１】
従来のブレード形状とは、基準曲線から正圧面及び負圧面までの厚みが、径方向位置に関わらず一定である。
【００７２】
言い換えると、正圧面及び負圧面は、基準曲線に沿って形成されている。
【００７３】
更に、ブレード部の先端部にステータブレードを回避するための切り欠きを有する。
【００７４】
このシミュレーションにより、ブレード部は、外周側において強い応力集中が発生していることを発見した。
【００７５】
また、死水域（オイル流動がトルク伝達に寄与しない領域）であるにも関わらず切り欠きに強い応力集中が発生していることを発見した。
【００７６】
すなわち、コンバータ作用によってトルク伝達する際、インペラシェルに膨張力が作用する。
【００７７】
この膨張力によりインペラシェルが湾曲すると、ブレード部を押し縮めようとする力が作用する。
【００７８】
発明者は、これらの作用により、ブレード部の外周側に応力集中が発生することを発見すると共に、死水域であっても応力集中が生じることを発見した。
【００７９】
そこで、実施例１では、強い応力集中が発生するブレード部の外周側のブレード部の厚みを他の部位に比べて厚くすることとした。
【００８０】
また、実施例１では、ブレード部の先端部に切り欠きを有しない形状とした。
【００８１】
ブレード部の先端部の形状については後述する。
【００８２】
このとき、正圧面側の形状は流体性能に大きく影響する。
【００８３】
仮に、基準曲線からの厚みを、正圧面側と負圧面側の両方で厚くすると、トルクコンバータ内のオイルの流れを阻害し、流体性能が低下するおそれがある。
【００８４】
そこで、実施例１では、基準曲線から正圧面までの厚みは従来通りとし、流体性能に影響のない負圧面までの厚みを厚くすることとした。
【００８５】
次に、基準曲線と負圧面側の厚みの増加程度について説明する。
【００８６】
図７は実施例１のブレード部における基準曲線と正圧面及び負圧面までの距離（厚み）との関係を表す特性図である。
【００８７】
図７（ａ）はブレード部の形状を表す。
【００８８】
図７（ｂ）は基準曲線に対する厚みの変化特性を表す。
【００８９】
ブレード部の中立位置における基準曲線に対し、正圧面側では基準曲線に沿った形状とされている。
【００９０】
ブレード部の中立位置における基準曲線に対し、負圧面側では内周部x1及び中間部x2共に基準曲線に沿った形状とされている。
【００９１】
ブレード部の中立位置における基準曲線に対し、負圧面側では外周部x3が基準曲線よりも負圧面側に厚くなるように変更されている。
【００９２】
尚、外周部x3の厚みは、例えば別部材のブレード部材をロウ付けによりインペラシェルに組み付ける場合のビードよりも十分に厚くされている。
【００９３】
図７（ｂ）は、中立位置における基準曲線を負圧面側に平行移動した負圧面側基準曲線と、負圧面との間の距離である離間量を外周に向けてプロットしたものである。
【００９４】
実施例１では、離間量の変化特性として、α１に示す正弦曲線とした。
【００９５】
正弦曲線とすることで、外周部x3の比較的内周側から厚みを確保できる。
【００９６】
よって、応力集中に伴う変形を抑制できる。
【００９７】
正弦曲線とすることで、外周部x3の比較的外周側での厚みを過剰に厚くすることを回避できる。
【００９８】
よって、外周部x3の外周側における流体性能への影響を抑制できる。
【００９９】
尚、離間量の変化特性として、α２に示す2次以上のn次関数曲線としてもよい。
【０１００】
正弦曲線に比べて外周部x3の比較的内周側での厚みを薄くするため、流体性能への影響を抑制できる。
【０１０１】
正弦曲線に比べて外周部x3の比較的外周側での厚みを確保することで、応力集中に伴う変形を抑制できる。
【０１０２】
〔ポンプインペラの形状について〕
【０１０３】
図８はポンプインペラの形状を設計する際の設計条件を表す概略図である。
【０１０４】
トルクコンバータとして機能するオイルの流動領域をトーラスという。
【０１０５】
オイルの流動が少なく、トルク伝達への寄与が低い範囲を想定死水域範囲として点線で示す。
【０１０６】
トーラス上端と径方向トーラス中心との距離は、トーラス下端と径方向トーラス中心との距離と等しい。
【０１０７】
トーラスのポンプインペラ側外端と軸方向トーラス中心との距離をW_iと定義する。
【０１０８】
トーラスのタービンランナ側外端と軸方向トーラス中心との距離をW_tと定義する。
【０１０９】
ブレード部21のうち、ポンプインペラ2の回転軸からも最も遠く、最もタービンランナ側に位置する点を上端P2と定義する。
【０１１０】
ブレード部21の上端P2と軸方向トーラス中心との距離をw1と定義する。
【０１１１】
ブレード部21と径方向トーラス中心とが交差する点をブレード中心P1と定義する。
【０１１２】
ブレード中心P1と軸方向トーラス中心との距離をw2と定義する。
【０１１３】
ブレード部21のうち、ポンプインペラ2の回転軸に最も近い点を下端P3と定義する。
【０１１４】
ブレード部21の下端P3と軸方向トーラス中心との距離をw3と定義する。
【０１１５】
上記の定義に従い、各設計条件を下記のように設定する。
【０１１６】
条件（１）
【０１１７】
0≦w1/w_t≦0.3
【０１１８】
ポンプインペラ2のブレード部21の上端P2が、タービンランナ側に入り込むことで、ブレード部21の外周部x3がポンプインペラ2の回転軸に対して傾斜している。
【０１１９】
よって、インペラシェル20が膨張に伴って変形したとしても、ブレード部21を圧縮する力を抑制することができ、外周部x3への応力集中を抑制できる。
【０１２０】
また、w1/w_tを0.3以下とすることで、タービン流路生存領域を確保する。
【０１２１】
言い換えると、ポンプインペラ側のブレード部21がタービンランナ側の領域に入り込むことで損失するタービン流路の生存領域が小さくならないようにする。
【０１２２】
更に言い換えると、複数のブレード部２１はそれぞれ、先端部21aのうちポンプインペラ2の回転軸から最も遠い部分である上端P2を有し、ステータブレード41の一部は複数の上端P2で囲まれている。
【０１２３】
囲まれている、とは、径方向から見たときに、先端部21aの一部がステータブレード41と重なる位置とされていることを意味する。
【０１２４】
これにより、流体性能を確保できる。
【０１２５】
尚、タービンブレード31のブレード突出部31bは、死水域に存在するため、さほど大きな力を受けることはない。
【０１２６】
また、タービンランナ3はコンバータ作用中に膨張等の変形が生じないため、切り欠き31aへの応力集中は生じない。
【０１２７】
そこで、タービンブレード31はジグザグ形状とし、ポンプインペラ2又はステータ4が配置されていないスペースに収めることで、トルクコンバータ全体をコンパクトにできる。
【０１２８】
また、ステータブレード41のタービンランナ側のブレード面積を確保でき、切り落としによる流路損失を回避する。
【０１２９】
また、ブレード突出部31bによりステータブレード41とブレード部21との間の隙間にタービンブレード31のブレード突出部31bを配置し、流路損失を回避する。
【０１３０】
言い換えると、径方向から見たときに、タービンブレード31の一部がブレード部21とステータブレード41との間に位置するように形成する。
【０１３１】
これにより、更に流体性能を確保しつつ、ポンプインペラ2又はステータ4が配置されていないスペースにタービンブレード31を収めることで、トルクコンバータ全体をコンパクトにできる。
【０１３２】
条件（２）
【０１３３】
0≦w2/W_i≦0.5
【０１３４】
上述したように、ブレード部21の先端部21aに切欠き等の変曲点を有すると、インペラシェルの変形に伴う応力集中が発生するおそれがある。
【０１３５】
この応力集中を回避するために、変曲点を有しない先端部21aを形成する。
【０１３６】
w2/W_iを0未満とする、すなわち、ブレード部21の先端部21aがトーラス中心を超えてタービンランナ側に張り出す形にすると、その分、ステータブレード41を削り取る部分が大きくなり、ステータ流路生存領域を確保できず、流体性能を確保できない。
【０１３７】
w2/W_iを0.5より大きくする、すなわち、先端部21aが大きくインペラシェル側に凸となるように湾曲する形にすると、死水域において応力集中が発生しやすくなる（図６参照）。
【０１３８】
また、想定死水域範囲であるため、ステータブレード41の大きさが僅かに減少しても流体性能には影響しにくい。
【０１３９】
以上から、w2/W_iを条件（２）の範囲に設定することで、応力集中を回避しつつステータ流路生存領域を確保できる。
【０１４０】
条件（３）
【０１４１】
0.5≦w3/W_i≦0.75
【０１４２】
w3/W_iを0.5未満とする、すなわち、ブレード部21の先端部21aがよりステータ側に張り出す形にすると、その分、ステータブレード41を削り取る部分が大きくなり、ステータ流路生存領域を確保できず、流体性能を確保できない。
【０１４３】
また、ステータブレード41を削り取る部分を抑制してw3/W_iを0.5未満とすると、先端部21aがインペラシェル側に凸となるように大きく湾曲し、死水域において応力集中が発生しやすくなる（図６参照）。
【０１４４】
w3/W_iを0.75より大きくする、すなわち、先端部21aがステータ4側に凸となるように湾曲する形にすると、インペラ流路生存領域を確保できず、流体性能を確保できない。
【０１４５】
以上から、w3/W_iを条件（３）の範囲に設定することで、死水域における応力集中を回避しつつ、ステータ流路生存領域及びインペラ流路生存領域を確保できる。
【０１４６】
以上のように、上記条件（１），（２），（３）を満足するブレード形状を形成することで、先端部21aが少なくとも死水域において変曲点を有さない比較的直線的な形状となる。
【０１４７】
言い換えると、死水域における先端部21aのいずれの箇所で接線を引いたとしても、接線で分割される領域の一方側に先端部21aが含まれる形状となる。
【０１４８】
よって、死水域における応力集中を防止できる。
【０１４９】
以上説明したように、実施例１にあっては下記に列挙する作用効果が得られる。
【０１５０】
（１）ポンプインペラ2とタービンランナ3とステータ4とを有し、
ポンプインペラ2は、インペラシェル20（シェル部）とブレード部21とを有し、
ブレード部21は、タービンランナ3側に先端部21aを有し、
外周部x3の先端部21a（先端部のうち回転軸から最も遠い部分）は、ポンプインペラ2の回転軸方向に対して傾いており、
先端部21aは、死水域において変曲点を有さない形状を有し、
ステータ4の少なくとも一部は、径方向から見たとき、先端部21aのうち外周部x3（回転軸から最も遠い部分）と重なっている。
【０１５１】
外周部x3の先端部21aは、ポンプインペラ2の回転軸方向に対して傾いているため、外周部x3の先端部21a近辺への応力集中を防止できる。
【０１５２】
先端部21aは、死水域において変曲点を有さない形状を有するため、死水域における応力集中を防止することができる。
【０１５３】
ステータ4の少なくとも一部は、径方向から見たとき、先端部21aのうち回転軸から最も遠い部分である外周部x3と重なっている配置とすることで、ブレード部21の面積を確保でき、流体性能を維持できる。
【０１５４】
（２）ステータ4は、ポンプインペラ2側に切り落とし部41a（切欠き）を有し、
ステータ4の切り落とし部41aと、ポンプインペラ2の先端部21aとは、平行になるように配置されている。
【０１５５】
よって、ステータブレード41の面積を大きくすることができる。
【０１５６】
（３）タービンランナ3は、死水域において、ポンプインペラ2とステータ4との間に位置する部位を有する。
【０１５７】
タービンランナ3は、ポンプインペラ2よりも死水域内の変曲点の影響が少ない。
【０１５８】
そこで、タービンランナ3はジグザグ形状とし、ポンプインペラ2又はステータ4が配置されていないスペースに収めることで、トルクコンバータ全体をコンパクトにできる。
【０１５９】
（４）先端部21aの形状は、死水域における先端部のいずれの箇所で接線を引いたとしても、接線で分割される領域の一方側に先端部21aが含まれる形状になっている。
【０１６０】
よって、死水域における応力集中を防止できる。
【０１６１】
（５）流体の流動領域であるトーラスのタービンランナ側端部と軸方向トーラス中心との距離をW_tと定義し、
前記ブレード部のうち、前記ポンプインペラの回転軸から最も遠く、かつ、最も前記タービンランナ側に位置する上端と軸方向トーラス中心との距離をw1と定義したとき、
0≦w1/w_t≦0.3
を満たすこととした。
【０１６２】
よって、ブレード部21の外周部x3がポンプインペラ2の回転軸に対して傾斜するため、インペラシェル20が膨張に伴って変形したとしても、ブレード部21を圧縮する力を抑制でき、外周部x3への応力集中を抑制できる。
【０１６３】
また、タービン流路生存領域を確保することで流体性能を確保できる。
【０１６４】
（６）流体の流動領域であるトーラスのポンプインペラ側端部である上端P2と軸方向トーラス中心との距離をW_iと定義し、
ブレード部21の先端部21aと径方向トーラス中心とが交差するブレード中心と、軸方向トーラス中心との距離をw2と定義したとき、
0≦w2/W_i≦0.5
を満たすこととした。
【０１６５】
よって、ステータブレード41を削り取る部分を小さくでき、ステータ流路生存領域を確保することで流体性能を確保できる。
【０１６６】
また、先端部21aのインペラシェル側への湾曲を回避することで、応力集中を回避できる。
【０１６７】
（７）流体の流動領域であるトーラスのポンプインペラ2側端部と軸方向トーラス中心との距離をW_iと定義し、
ブレード部のうち、前記ポンプインペラの回転軸に最も近い下端と軸方向トーラス中心との距離をw3と定義したとき、
0.5≦w3/W_i≦0.75
を満たすこととした。
【０１６８】
よって、ステータブレード41を削り取る部分を小さくでき、ステータ流路生存領域を確保することで流体性能を確保できる。
【０１６９】
また、先端部21aがインペラシェル側に湾曲することを回避でき、応力集中を回避できる。
【０１７０】
また、先端部21aがステータ4側に凸となるように湾曲することを回避でき、インペラ流路生存領域を確保することで流体性能を確保できる。
【０１７１】
以上、本発明を実施例１に基づいて説明したが、上記構成に限らず本発明を適用できる。
【０１７２】
実施例１では、流体伝動装置としてトルクコンバータのポンプインペラに本発明を適用したが、フルードカップリング等であってもよい。
【符号の説明】
【０１７３】
1    コンバータカバー
2    ポンプインペラ
3    タービンランナ
4    ステータ
5    ワンウェイクラッチ
7    変速機入力軸
20    インペラシェル
20b    接続面
21    ブレード部
21a    先端部
31    タービンブレード
31a    切り欠き
31b    ブレード突出部
41    ステータブレード
41a    切り落とし部
x1    内周部
x2    中間部
x3    外周部
【図１】
0006454885.tif 000002
【図２】
0006454885.tif 000003
【図３】
0006454885.tif 000004
【図４】
0006454885.tif 000005
【図５】
0006454885.tif 000006
【図６】
0006454885.tif 000007
【図７】
0006454885.tif 000008
【図８】
0006454885.tif 000009